(57)【要約】【課題】視聴環境によらず、所望の照明効果を得ること。【解決手段】照度検出部（３３）は、照明の明るさを検出する。照明制御情報抽出部（３０２）は、明るさを示す照明制御情報と映像とを対応付けた情報を抽出する。照明装置情報取得部（３０５）は、照明装置各々での消費電力を示す消費電力情報を取得する。照明制御部（３０９）は、照度検出部が検出した明るさ、照明制御情報、及び消費電力情報に基づいて、各照明装置の出力値を決定し、決定した出力値で光を出力するように照明装置を制御する。【選択図】図４
2012003895.tif 000002
【特許請求の範囲】
【請求項１】
複数の照明装置各々での消費電力を示す消費電力情報と、明るさ検出部が検出した照明の明るさを示す検出情報と、に基づいて、前記複数の照明装置による照明を制御する照明制御装置。
【請求項２】
前記消費電力情報と前記検出情報とに基づいて各照明装置の出力値を決定し、決定した出力値で光を出力するように前記照明装置を制御する請求項１に記載の照明制御装置。
【請求項３】
前記照明装置各々での消費電力を示す消費電力情報を取得する照明装置情報取得部と、
前記検出情報、予め定められた明るさを示す明るさ情報、及び前記消費電力情報に基づいて、各照明装置の出力値を決定し、決定した出力値で光を出力するように前記照明装置を制御する照明制御部と、
を備える請求項２に記載の照明制御装置。
【請求項４】
前記検出情報と前記消費電力情報とに基づいて、前記照明装置各々の電力効率を算出して、算出した電力効率が高い順に照明装置を選択する視聴環境設定部を備え、
前記照明制御部は、前記視聴環境設定部が選択した照明装置を制御する請求項３に記載の照明制御装置。
【請求項５】
前記照明制御部は、前記明るさ情報が示す明るさ以上の明るさで、前記消費電力情報が示す消費電力の合算値が最小になるように、前記照明装置を制御する請求項３又は４に記載の照明制御装置。
【請求項６】
前記複数の照明装置の出力値と前記明るさ検出部が検出する明るさとの関係情報を生成する前記視聴環境設定部を備え、
前記照明制御部は、前記関係情報に基づいて、前記消費電力情報が示す消費電力の合算値が最小になるように、前記照明装置を選択する請求項５に記載の照明制御装置。
【請求項７】
明るさ検出部が検出した照明の明るさを示す検出情報、複数の照明装置各々での消費電力を示す消費電力情報、及び、明るさを示す明るさ情報と映像とを対応付けた情報に基づいて、複数の照明装置による照明を制御しつつ、映像を再生する映像再生装置。
【請求項８】
複数の照明装置と、
明るさを示す明るさ情報と映像とを対応付けた情報を提供する映像提供装置と、
明るさ検出部が検出した照明の明るさを示す検出情報、複数の照明装置各々での消費電力を示す消費電力情報、及び、明るさを示す明るさ情報と映像とを対応付けた情報に基づいて、前記複数の照明装置による照明を制御しつつ、映像を再生する映像再生装置と、
を備える制御システム。
【請求項９】
照明制御装置が、複数の照明装置各々での消費電力を示す消費電力情報と、明るさ検出部が検出した照明の明るさを示す検出情報と、に基づいて、前記複数の照明装置による照明を制御する過程を有する照明制御方法。
【請求項１０】
照明制御装置のコンピュータに、複数の照明装置各々での消費電力を示す消費電力情報と、明るさ検出部が検出した照明の明るさを示す検出情報と、に基づいて、前記複数の照明装置による照明を制御する手順を実行させるための照明制御プログラム。
【請求項１１】
複数の照明装置各々での消費電力を示す消費電力情報と、明るさ検出部が検出した照明の明るさを示す検出情報と、に基づいて、前記複数の照明装置による照明を制御する制御情報を生成するプロセッサ。
【発明の詳細な説明】
【技術分野】
【０００１】
本発明は、照明制御装置、映像再生装置、制御システム、照明制御方法、照明制御プログラム、及び、プロセッサに関する。
【背景技術】
【０００２】
近年、宅内の家電機器・エネルギー機器をネットワークで接続し、エネルギー消費量の表示（見える化）、及びエネルギー消費量の削減を目指すＨＥＭＳ（Ｈｏｍｅ  Ｅｎｅｒｇｙ  Ｍａｎａｇｅｍｅｎｔ  Ｓｙｓｔｅｍ；ホームエネルギマネジメントシステム）が広まりつつある。
例えば、特許文献１、２には、ＴＶ（テレビジョン）で視聴しているコンテンツ（ジャンル、映像の特徴量）に応じて部屋の照明の明るさを制御する技術が開示されている。
【先行技術文献】
【特許文献】
【０００３】
【特許文献１】特開２００６−３２５０４３号公報
【特許文献２】特開２００９−３６８０１号公報
【発明の概要】
【発明が解決しようとする課題】
【０００４】
しかしながら、特許文献１、２では、照明装置に対して一方的に指示を送るだけであり、部屋の中に複数の照明装置が存在した場合や、ＴＶと照明装置の位置関係など、視聴環境によっては、所望の照明効果を得ることができない場合があるという問題があった。
【０００５】
本発明は上記の点に鑑みてなされたものであり、視聴環境によらず、所望の照明効果を得ることができる照明制御装置、映像再生装置、制御システム、照明制御方法、照明制御プログラム、及び、プロセッサを提供する。
【課題を解決するための手段】
【０００６】
（１）本発明は上記の課題を解決するためになされたものであり、本発明は、複数の照明装置各々での消費電力を示す消費電力情報と、明るさ検出部が検出した照明の明るさを示す検出情報と、に基づいて、前記複数の照明装置による照明を制御する照明制御装置である。
【０００７】
（２）また、本発明の一態様は、前記消費電力情報と前記検出情報とに基づいて各照明装置の出力値を決定し、決定した出力値で光を出力するように前記照明装置を制御する。
【０００８】
（３）また、本発明の一態様は、上記の照明制御装置において、前記照明装置各々での消費電力を示す消費電力情報を取得する照明装置情報取得部と、前記検出情報、予め定められた明るさを示す明るさ情報、及び前記消費電力情報に基づいて、各照明装置の出力値を決定し、決定した出力値で光を出力するように前記照明装置を制御する照明制御部と、を備える。
【０００９】
（４）また、本発明の一態様は、上記の照明制御装置において、前記検出情報と前記消費電力情報とに基づいて、前記照明装置各々の電力効率を算出して、算出した電力効率が高い順に照明装置を選択する視聴環境設定部を備え、前記照明制御部は、前記視聴環境設定部が選択した照明装置を制御する。
【００１０】
（５）また、本発明の一態様は、上記の照明制御装置において、前記照明制御部は、前記明るさ情報が示す明るさ以上の明るさで、前記消費電力情報が示す消費電力の合算値が最小になるように、前記照明装置を制御する。
【００１１】
（６）また、本発明の一態様は、上記の照明制御装置において、前記複数の照明装置の出力値と前記明るさ検出部が検出する明るさとの関係情報を生成する前記視聴環境設定部を備え、前記照明制御部は、前記関係情報に基づいて、前記消費電力情報が示す消費電力の合算値が最小になるように、前記照明装置を選択する。
【００１２】
（７）また、本発明の一態様は、明るさ検出部が検出した照明の明るさを示す検出情報、複数の照明装置各々での消費電力を示す消費電力情報、及び、明るさを示す明るさ情報と映像とを対応付けた情報に基づいて、複数の照明装置による照明を制御しつつ、映像を再生する映像再生装置である。
【００１３】
（８）また、本発明の一態様は、複数の照明装置と、明るさを示す明るさ情報と映像とを対応付けた情報を提供する映像提供装置と、明るさ検出部が検出した照明の明るさを示す検出情報、複数の照明装置各々での消費電力を示す消費電力情報、及び、明るさを示す明るさ情報と映像とを対応付けた情報に基づいて、前記複数の照明装置による照明を制御しつつ、映像を再生する映像再生装置と、を備える制御システムである。
【００１４】
（９）また、本発明の一態様は、照明制御装置が、複数の照明装置各々での消費電力を示す消費電力情報と、明るさ検出部が検出した照明の明るさを示す検出情報と、に基づいて、前記複数の照明装置による照明を制御する過程を有する照明制御方法である。
【００１５】
（１０）また、本発明の一態様は、照明制御装置のコンピュータに、複数の照明装置各々での消費電力を示す消費電力情報と、明るさ検出部が検出した照明の明るさを示す検出情報と、に基づいて、前記複数の照明装置による照明を制御する手順を実行させるための照明制御プログラムである。
【００１６】
（１１）また、本発明の一態様は、複数の照明装置各々での消費電力を示す消費電力情報と、明るさ検出部が検出した照明の明るさを示す検出情報と、に基づいて、前記複数の照明装置による照明を制御する制御情報を生成するプロセッサである。
【発明の効果】
【００１７】
本発明によれば、視聴環境によらず、所望の照明効果を得ることができる。
【図面の簡単な説明】
【００１８】
【図１】本発明の第１の実施形態に係る制御システムを示す概略図である。
【図２】本実施形態に係るコンテンツ提供装置の構成を示す概略ブロック図である。
【図３】本実施形態に係る照明制御情報の一例を示す概略図である。
【図４】本実施形態に係るコンテンツ再生装置の構成を示す概略ブロック図である。
【図５】本実施形態に係る照明装置情報テーブルの一例を示す概略図である。
【図６】本実施形態に係るパターン別照度情報テーブルの一例を示す概略図である。
【図７】本実施形態に係る視聴環境情報テーブルの一例を示す概略図である。
【図８】本実施形態に係る照明装置情報取得部の動作の一例を示すフローチャートである。
【図９】本実施形態に係る第１の装置選択処理での動作の一例を示すフローチャートである。
【図１０】本実施形態に係る照度取得処理での動作の一例を示すフローチャートである。
【図１１】本実施形態に係る照明制御情報抽出部及び照明制御部の動作の一例を示すフローチャートである。
【図１２】本発明の第２の実施形態に係るコンテンツ再生装置の構成を示す概略ブロック図である。
【図１３】本実施形態に係る第２の装置選択処理での動作の一例を示すフローチャートである。
【図１４】本実施形態に係る電力効率情報テーブルの一例を示す概略図である。
【図１５】本実施形態に係る視聴環境情報テーブルの一例を示す概略図である。
【発明を実施するための形態】
【００１９】
（第１の実施形態）
以下、図面を参照しながら本発明の実施形態について詳しく説明する。
図１は、本発明の第１の実施形態に係る制御システムを示す概略図である。この図において、制御システムは、コンテンツ提供装置１１、１２（例えば、サーバ、レコーダ、放送局装置）、コンテンツ再生装置３（例えば、テレビジョン、パーソナルコンピュータ）、照明装置５１、５２、５３（例えば、蛍光灯、電球）を備える。
符号Ａを付した破線で囲った領域はリビング（リビングＡという）を示し、符号Ｂを付した破線で囲った領域は別の部屋（洋室Ｂという）を示す。リビングＡには、映像を再生するコンテンツ再生装置３及び、複数の照明装置５１、５２が設置されている。また、洋室Ｂには照明装置５３が設置されている。ここで、リビングＡと洋室Ｂは隣接しており、照明装置５３の光がリビングＡ内に当たる場合もある。なお、リビングＡと洋室Ｂの照明装置の数は、図１の例に限られず、何個であってもよい。
【００２０】
コンテンツ再生装置３は、インターネット２を介して又は直接、コンテンツ提供装置１１、１２（以下、各々をコンテンツ提供装置１という）に接続される。コンテンツ再生装置３は、コンテンツ提供装置１からコンテンツデータを取得して再生する。なお、コンテンツ再生装置３とコンテンツ提供装置１は、無線通信で接続されてもよいし、有線通信で接続されてもよい。また、この通信は単方向でも双方向でもよい。
コンテンツ再生装置３は、映像を出力するディスプレイ３１、音声を出力するスピーカ３２、及び周囲の照度を検出する明るさセンサ３３を備える。コンテンツ再生装置３は、取得したコンテンツデータのコンテンツ（例えば、地上波、衛星放送、ＣＡＴＶ等の放送コンテンツやネットワーク上のＶｏＤ（Ｖｉｄｅｏ  ｏｎ  Ｄｅｍａｎｄ）コンテンツ）を、ディスプレイ３１及びスピーカ３２を用いて再生する。
【００２１】
コンテンツ再生装置３、及び照明装置５１、５２、５３は、ネットワーク４を介して互いに接続される。ネットワーク５は、例えば、ＺｉｇＢｅｅ（登録商標）等の無線ネットワークであるが、各装置が相互に通信できればよく、有線であってもよい。
コンテンツ再生装置３は、照明装置５１、５２、５３の光、外光、及びコンテンツ再生装置の表示等による照度を、明るさセンサ３３で検出する。コンテンツ再生装置３は、コンテンツデータから照明制御情報を抽出し、照明制御情報と検出した照度とに基づいて、照明装置５１、５２、５３を制御する。
【００２２】
＜コンテンツ提供装置１の構成について＞
図２は、本実施形態に係るコンテンツ提供装置１の構成を示す概略ブロック図である。この図において、コンテンツ提供装置１は、入力部１０１、映像生成部１０２、映像入力部１０３、明るさ情報付加部１０４、コンテンツ記憶部１０５、コンテンツ提供部１０６、及び通信部１０７を含んで構成される。
【００２３】
入力部１０１は、各入力機器からユーザの操作を示す情報を入力される。入力部１０１は、入力された情報を映像生成部１０２及び明るさ情報付加部１０４に出力する。
映像生成部１０２は、映像データを記憶し、入力部１０１から入力された情報に基づいて映像の加工処理や編集処理を行う。映像生成部１０２は、処理後の映像データを映像入力部１０３に出力する。
映像入力部１０３は、外部装置又は映像生成部１０２から映像データを入力される。映像入力部１０３は、入力された映像データを明るさ情報付加部１０４に出力する。なお、映像データには、データ種別、映像の開始時からの経過時間を示す再生時刻等のメタデータが付与されている。
【００２４】
明るさ情報付加部１０４は、入力部１０１から入力された情報に基づいて映像データの映像のシーン毎に、照度情報を付与する。具体的には、明るさ情報付加部１０４は、シーンを開始する再生時刻（開始時刻という）及び終了する再生時刻（終了時刻）に対して、照度情報を対応付けた照明制御情報（図３参照）を生成する。明るさ情報付加部１０４は、生成した照明制御情報を映像データ及び音声データに付加したコンテンツデータを、コンテンツ記憶部１０５に記憶させる。
【００２５】
コンテンツ提供部１０６は、通信部１０７から入力されたコンテンツ要求又はタイマに基づいて、コンテンツ記憶部１０５から読み出したコンテンツデータを通信部１０７に出力する。
通信部１０７は、コンテンツ再生装置３から（例えば、インターネット６を介して）、コンテンツ要求を受信する。通信部１０７は、受信したコンテンツ要求をコンテンツ提供部１０６に出力する。また、通信部１０７は、コンテンツ提供部１０６から入力されたコンテンツデータを、コンテンツ再生装置３に送信する。
【００２６】
図３は、本実施形態に係る照明制御情報の一例を示す概略図である。図示するように、照明制御情報は、データ種別、開始時刻、終了時刻、及び明るさ率の各項目を有している。ここで、データ種別はコンテンツデータの種類を示す。データ種別の項目には、例えば、映像データ或いは音声データ、及び、地上波、衛星放送、或いはＣＡＴＶを識別する情報が格納される。また、明るさ率の項目には、明るさセンサの位置（本実施形態ではコンテンツ再生装置３の位置）における照度変化の割合を示す情報（明るさ率情報という）が格納される。
【００２７】
＜コンテンツ再生装置３の構成について＞
図４は、本実施形態に係るコンテンツ再生装置３の構成を示す概略ブロック図である。この図において、コンテンツ再生装置３は、コンテンツ取得部３０１、照明制御情報抽出部３０２、コンテンツ再生部３０３、映像出力部（ディスプレイ）３１、音声出力部（スピーカ）３２、通信部３０４、照明装置情報取得部３０５、照明装置情報記憶部３０６、照度検出部（明るさセンサ）３３（明るさ検出部）、視聴環境設定部３０７、視聴環境情報記憶部３０８、及び照明制御部３０９を含んで構成される。
【００２８】
コンテンツ取得部３０１は、コンテンツ提供装置１にコンテンツ要求を送信する。また、コンテンツ取得部３０１は、コンテンツ提供装置１からコンテンツデータを取得する。なお、コンテンツデータの取得先はインターネット６を介するものに限らず、図示していないアンテナを介して取得した放送コンテンツデータや、ホームネットワークを介して取得した録画コンテンツデータであってもよい。コンテンツ取得部３０１は、取得したコンテンツデータを照明制御情報抽出部３０２に出力する。
照明制御情報抽出部３０２は、コンテンツ取得部３０１から入力されたコンテンツデータから照明制御情報を抽出する。照明制御情報抽出部３０２は、抽出した照明制御情報を照明制御部３０９に出力する。また、照明制御情報抽出部３０２は、コンテンツデータをコンテンツ再生部３０３に出力する。
【００２９】
コンテンツ再生部３０３は、照明制御情報抽出部３０２から入力されたコンテンツデータを、映像データ及び音声データに分割する。コンテンツ再生部３０３は、分割した映像データを映像出力部３１に出力し、音声データを音声出力部３２に出力することで、コンテンツを再生する。また、コンテンツ再生部３０３は、再生中のコンテンツの再生時刻を示す再生時刻情報を照明制御部３０９に出力する。
通信部３０４は、ネットワーク４を介して、照明装置５１、５２、５３と通信する。
【００３０】
照明装置情報取得部３０５は、照明装置５１、５２、５３から通信部３０４を介して、それぞれ、照明装置５１、５２、５３の詳細情報を取得する。照明装置情報取得部３０５は、取得した詳細情報に基づいて照明装置情報を生成し、生成した照明装置情報を照明装置情報記憶部３０６の照明装置情報テーブル（図５参照）に記憶する。
照度検出部３３は、センサが設けられた位置、つまり、コンテンツ再生装置３での照度を検出する。照度検出部３３は、検出した照度の測定値（照度値）を示す照度情報（検出情報）を、視聴環境設定部３０７に出力する。
【００３１】
視聴環境設定部３０７は、通信部３０４を介して照明装置５１、５２、５３各々に対して、出力値を送信することで、照明装置５１、５２、５３が発する照明を制御する。ここで、出力値は、照明装置の調光に用いられる値であり、照明に印加する電圧に予め対応付けられている。視聴環境設定部３０７は、制御後、照度検出部３３が検出した照度情報を取得する。
視聴環境設定部３０７は、取得した照度情報に基づいて、コンテンツ再生時に制御する照明装置を選択する（第１の装置選択処理という）。視聴環境設定部３０７は、選択の結果、照明装置情報記憶部３０６の照明装置情報テーブル（図５参照）の制御管理情報であって、制御するかしないかを示す制御管理情報を更新する。
【００３２】
視聴環境設定部３０７は、選択した照明装置を、予め定めたパターン毎の出力値で光を発するように制御する。ここで、視聴環境設定部３０７は、複数の照明装置を選択した場合には、パターンの組合せ（出力値パターン）毎に制御する。視聴環境設定部３０７は、制御の結果、出力値パターン毎に、照度検出部３３が検出した照度情報を取得する（照度取得処理という）。視聴環境設定部３０７は、出力値パターン毎の照度情報（パターン別照度情報という）を、視聴環境情報記憶部３０８のパターン別照度情報テーブル（図６）に記憶する。また、視聴環境設定部３０７は、パターン別照度情報に基づいて視聴環境情報（明るさ制御情報）を生成して、視聴環境情報記憶部３０８の視聴環境情報テーブル（図５）に記憶する。
なお、視聴環境設定部３０７が行う処理の詳細については、後述する。
【００３３】
照明制御部３０９は、照明制御情報抽出部３０２から入力された照明制御情報、コンテンツ再生部３０３から入力された再生時刻情報、視聴環境情報記憶部３０８から読み出した視聴環境情報に基づいて、各照明装置５１、５２、５３の出力値を決定する。照明制御部３０９は、決定した出力値を示す制御情報であって、照明装置５１、５２、５３各々に対する制御情報を生成する。照明制御部３０９は、生成した制御情報各々を、照明装置情報に基づいて、通信部３０４を介して照明装置５１、５２、５３に送信する。
なお、制御情報を受信した照明装置５１、５２、５３は、制御情報から自装置の出力値を抽出し、その出力値を設定する。照明装置５１、５２、５３は、設定した出力値の出力で発光する。
【００３４】
図５は、本実施形態に係る照明装置情報テーブルの一例を示す概略図である。図示するように、照明装置情報テーブルは、照明装置を識別するＩＤ（ｉｄｅｎｔｉｆｉｅｒ；識別子）、装置のネットワーク上の所在を示すアドレス、定格消費電力、照明装置での現在の出力値、現在の消費電力、電力係数、及び制御管理情報の各項目の列を有している。ここで、アドレスは、照明装置各々のネットワーク４上での所在を示し、通信部３０４が照明装置各々と通信をするために用いるものである。また、定格消費電力は、予め定められた条件での消費電力を示す規格値であり、照明装置毎に定められる。電力係数は、現在の消費電力を現在の出力値で除算した値である。照明装置情報テーブルは、ＩＤ毎に照明装置情報が格納される行と列からなる２次元の表形式のデータである。
【００３５】
図５は、例えば、ＩＤが「ｌｉｇｈｔ＿ｘｘｘ」の照明装置が、アドレスが「０Ｘ０００１」であり、定格消費電力が「１０」Ｗ（ワット）であることを示す。また、この図は、この照明装置が、現在の出力値が「１００」であり、その場合の消費電力が「６」Ｗ（ワット）であるので、電力係数として「０．０６」（６÷１００）が格納されることを示す。また、この図は、照明装置が、コンテンツ再生装置３による制御の「対象」であることを示す。
なお、ＩＤは、ユーザに分かりやすい識別情報（例えば、リビング、ダイニング、洋室、など）を用いてもよい。また、図５では、ＺｉｇＢｅｅで用いられるアドレス形式のアドレスを記載しているが、ネットワーク４がＩＰ（Ｉｎｔｅｒｎｅｔ  Ｐｒｏｔｏｃｏｌ）ネットワークである場合には、アドレスとしてＩＰアドレスが用いられる。また、コンテンツ再生装置３は、照明装置から現在の消費電力を取得できない場合、定格消費電力と現在の出力値に基づいて消費電力を推定して、現在の消費電力としてもよい。例えば、定格消費電力に対する実質消費電力の割合（例えば、５０％）を予め記憶しておき、現在の消費電力＝定格消費電力×（現在の出力値÷１００）×割合、と推定する。
【００３６】
図６は、本実施形態に係るパターン別照度情報テーブルの一例を示す概略図である。この図は、視聴環境設定部３０７が第１の装置選択処理で、ＩＤが「ｌｉｇｈｔ＿ｘｘｘ」及び「ｌｉｇｈｔ＿ｙｙｙ」の照明装置を選択した場合の図である。図示するように、パターン別照度情報テーブルは、第１の装置選択処理で選択された照明装置の出力値（「ｌｉｇｈｔ＿ｘｘｘ」の出力値１、「ｌｉｇｈｔ＿ｙｙｙ」の出力値２）、及び照度値の各項目の列を有している。パターン別照度情報テーブルは、出力値パターン（図６では、出力値１と出力値２の組み合わせ）毎に、パターン別照度情報が格納される行と列からなる２次元の表形式のデータである。
【００３７】
図６は、出力値１と出力値２の組合せとして、「１００」及び「１００」、「１００」及び「０」、「０」及び「１００」、「１００」及び「０」の４つの出力値パターンがあることを示す。
ここで、出力値は、各照明装置が、最も低い照度の光を出力するときを「０」（例えば、消灯）、最も高い照度の光を出力するときを「１００」とするものであり、「０」と「１００」以外の値であってもよい。ただし、例えば、出力値は、値が大きくなるほど、照明装置が出力する照度が高くなるように、予め定められたものである。
この図は、例えば、出力値１が「１００」及び出力値２が「１００」の出力値パターンでは、照度値が「９０」であることを示す。
【００３８】
図７は、本実施形態に係る視聴環境情報テーブルの一例を示す概略図である。この図は、視聴環境設定部３０７が、図６のパターン別照度情報テーブルに基づいて視聴環境情報を生成した場合の図である。図示するように、視聴環境情報テーブルは、第１の装置選択処理で選択された照明装置の出力値に係る照度係数（出力値１に対する照度係数１、出力値２に対する照度係数２）、コンテンツ再生装置３における照度の最小値、最大値の各項目の列を有している。
図７は、コンテンツ再生装置３における照度（Ｙ）が、出力値１（Ｘ１）と出力値２（Ｘ２）を用いて、Ｙ＝０．１Ｘ１＋０．２Ｘ２＋３０で線形近似できることを示す。また、図７は、照度の最大値が「８０」となるように、コンテンツ再生装置３が照明装置を制御することを示す。
【００３９】
＜コンテンツ再生装置３の動作について＞
以下、コンテンツ再生装置３の動作について説明をする。なお、コンテンツ再生装置３が行う処理は、照明装置情報取得部３０５及び視聴環境設定部３０７が行う事前設定処理（図８、図９、図１０）と、コンテンツ再生時に照明制御部３０９が行う照明制御処理と、の２つに大きく分けられる。
【００４０】
図８は、本実施形態に係る照明装置情報取得部３０５の動作の一例を示すフローチャートである。コンテンツ再生装置３は、起動した際に、この動作を実行する。ただし、コンテンツ再生装置３は、起動の度に、この動作を行わなくてもよい。例えば、コンテンツ再生装置３は、ユーザからの入力指示があった場合にのみ動作を行ってもよいし、タイマによって予め定めた期日や期間を経過した場合にのみ動作を行ってもよい。
【００４１】
（ステップＳ１０１）照明装置情報取得部３０５は、装置発見リクエストを送信する。この装置発見リクエストは、ネットワーク４にブロードキャストされ、ネットワーク４に接続された全ての照明装置に受信される。照明装置各々は、装置発見リクエストを受信すると、これに対する応答を、コンテンツ再生装置３へ送信する。その後、ステップS１０２に進む。
（ステップＳ１０２）照明装置情報取得部３０５は、ステップＳ１０１で送信された応答であって照明装置各々からの応答を、通信部３０４を介して受信する。その後、ステップＳ１０３に進む。
【００４２】
（ステップＳ１０３）照明装置情報取得部３０５は、装置発見リクエストの送信から一定期間（例えば、１０秒）を経過したか否かを判定する。一定期間を経過したと判定した場合（ＹＥＳ）、ステップＳ１０４に進む。一定期間を経過していないと判定した場合（ＮＯ）、ステップＳ１０２に戻る。つまり、装置発見リクエストの送信から応答の受信までは、時間がかかるので、照明装置情報取得部３０５は、一定期間で受信待ちをする。
（ステップＳ１０４）照明装置情報取得部３０５は、ステップＳ１０２で、照明装置からの応答を受信しなかったか否かを判定する。応答を受信しなかったと判定した場合（ＹＥＳ）、動作を終了する。つまり、照明装置情報取得部３０５は、応答が１つもなかった場合には、制御対象となる照明装置がないと判断し、この動作を終了する。一方、応答を受信したと判定した場合（ＮＯ）、ステップＳ１０５に進む。
【００４３】
（ステップＳ１０５）照明装置情報取得部３０５は、ステップＳ１０２で応答を受信した照明装置に対して、情報取得リクエストを送信する。照明装置各々は、装置発見リクエストを受信すると、自装置の詳細情報を、コンテンツ再生装置３へ送信する。この詳細情報には、定格消費電力、現在の出力値（０〜１００）、現在の消費電力、等が含まれる。照明装置情報取得部３０５は、照明装置各々から送信された詳細情報を受信して取得する。その後、ステップS１０６に進む。
（ステップＳ１０６）照明装置情報取得部３０５は、ステップＳ１０５で取得した詳細情報に基づいて電力係数を算出する。具体的には、照明装置情報取得部３０５は、詳細情報の現在の消費電力を現在の出力値で除算する。その後、ステップＳ１０７に進む。
（ステップＳ１０７）照明装置情報取得部３０５は、ステップＳ１０５で取得した詳細情報、及び、ステップＳ１０７で算出した電力係数を含む照明装置情報を生成し、生成した照明装置情報を照明装置情報テーブルに記憶する。その後、動作を終了する。
以上の動作によって、照明装置各々の照明装置情報が照明装置情報記憶部３０６に記憶される。
【００４４】
図９は、本実施形態に係る視聴環境設定部３０７における第１の装置選択処理での動作の一例を示すフローチャートである。なお、この動作は、図８の動作に続いて行われる。
（ステップＳ２０１）視聴環境設定部３０７は、照明装置情報記憶部３０６の視聴環境情報テーブルから、１個の照明装置情報を選択する。ここで、視聴環境設定部３０７は、以前のステップＳ２０１で選択した照明装置情報以外の照明装置情報を選択する。なお、選択された照明装置情報の照明装置が制御対象の照明装置となる。また、初回のステップＳ２０１では、視聴環境設定部３０７は、照明装置情報を任意に選択してもよいし、予め定めた規則（例えば、視聴環境情報テーブルの一番目の照明装置情報）で選択してもよい。その後、ステップＳ２０２に進む。
（ステップＳ２０２）視聴環境設定部３０７は、照度検出部３３が検出した照度情報を取得する。つまり、コンテンツ再生装置３は照度を測定する。その後、ステップＳ２０３に進む。
【００４５】
（ステップＳ２０３）視聴環境設定部３０７は、ステップＳ２０１で選択した照明装置情報のアドレスを抽出する。視聴環境設定部３０７は、抽出したアドレスの照明装置に対して、予め定めた値を加算した出力値（例えば、「３０」を増加又は減少）で光を発するように制御する。これにより、ステップＳ２０１で選択した照明装置情報の照明装置は、出力する照度（明るさ）が変化することとなる。その後、ステップＳ２０４に進む。
（ステップＳ２０４）視聴環境設定部３０７は、照度検出部３３が検出した照度情報を取得する。その後、ステップＳ２０５に進む。
【００４６】
（ステップＳ２０５）視聴環境設定部３０７は、ステップＳ２０４で取得した照度情報が示す照度値と、ステップＳ２０４で取得した照度情報が示す照度値と、の差が、予め定めた値以上であるか否かを判定する。つまり、視聴環境設定部３０７は、ステップＳ２０３での制御によって、照度値が予め定めた値以上変化したか否かを判定する。照度値が予め定めた値以上変化したと判定した場合（ＹＥＳ）、ステップＳ２０７に進む。一方、照度値が予め定めた値以上変化しないと判定した場合（ＮＯ）、ステップＳ２０６に進む。
（ステップＳ２０６）視聴環境設定部３０７は、ステップＳ２０１で選択した照明装置情報の制御管理情報を「対象外」として、視聴環境情報テーブルを更新する。これにより、コンテンツ再生装置３は、例えば、別の部屋（洋室Ｂ）にある照明装置５３（図１）のように、コンテンツ再生装置３での照度に大きな影響を及ぼさない照明装置を、制御対象から除外することができる。その後、ステップＳ２０７に進む。
【００４７】
（ステップＳ２０７）視聴環境設定部３０７は、視聴環境情報テーブルの照明装置情報を、全て選択したか否かを判定する。つまり、聴環境設定部３０７は、全ての装置について、ステップＳ２０２〜Ｓ２０６の処理が終了したかを判定する。全ての装置について処理が終了したと判定した場合（ＹＥＳ）、動作を終了する。一方、全ての装置について処理が終了していないと判定した場合（ＮＯ）、ステップＳ２０１に戻る。
なお、上記の図９の動作において、異なる値を加算した出力値（例えば「１０」、「２０」、「４０」、或いは「５０」を増加又は減少）について、ステップＳ２０３〜Ｓ２０６の処理を繰り返してもよい。また、ステップＳ２０６において、視聴環境設定部３０７は、ステップＳ２０１で選択した照明装置情報の制御管理情報を、視聴環境情報テーブルから削除してもよい。
また、上記の動作では、出力値を変更しても、照度値が予め定めた値以上変化しない照明装置を、制御の「対象外」とする場合について説明したが、制御管理情報と併せて照明装置の情報をディスプレイに表示し、制御の「対象」とするか「対象外」とするかをユーザに変更させてもよい。
【００４８】
図１０は、本実施形態に係る視聴環境設定部３０７における照度取得処理での動作の一例を示すフローチャートである。なお、この動作は、例えば、コンテンツデータのコンテンツを再生開始する直前に行う。また、前に実行した照度取得処理の結果（パターン別照度情報）を記憶しておき、それ以降は、そのパターン別照度情報を用いてもよく、これにより、コンテンツを再生開始する直前の処理を省略することができる。
【００４９】
（ステップＳ３０１）視聴環境設定部３０７は、照明装置情報テーブルから制御管理情報が「対象」である照明装置情報のＩＤを読み出す。視聴環境設定部３０７は、読み出したＩＤ毎に予め定めた出力値のパターンを設定し、設定したパターンの組合せである出力値パターンを生成する。つまり、視聴環境設定部３０７は、全ての出力値の組合せを網羅する出力値パターンを生成する。
例えば、図５の例では、視聴環境設定部３０７は、照明装置情報テーブルから２個のＩＤ「ｌｉｇｈｔ＿ｘｘｘ」、「ｌｉｇｈｔ＿ｙｙｙ」を読み出して、予め定めたＩＤ毎の出力値のパターン「０」、「１００」を設定する。この場合、視聴環境設定部３０７は、図６の出力値１及び出力値２で示された４（２の２乗）通りの出力値パターンを生成する。なお、例えば、出力値のパターンが「０」、「５０」、「１００」の３個の場合には、視聴環境設定部３０７は、９（３の２乗）通りの出力値パターンを生成する。なお、視聴環境設定部３０７は、Ｎ個のＩＤを読み出すときに、ＩＤ毎の出力値のパターンがＭ個の場合には、ＮのＭ乗通りの出力値パターンを生成する。また、ＩＤ毎の出力値のパターンの個数を予め定めた値より少なくすることで、出力値パターンの個数が増加し、照度取得処理の負荷が増大することを防止することができる。その後、ステップＳ３０２に進む。
【００５０】
（ステップＳ３０２）視聴環境設定部３０７は、ステップＳ３０１で生成した出力値パターンから１個の組合せを選択する。ここで、視聴環境設定部３０７は、以前のステップＳ３０１で選択した出力値パターン以外の出力値パターンを選択する。なお、初回のステップＳ３０２では、視聴環境設定部３０７は、出力値パターンを任意に選択してもよいし、予め定めた規則で選択してもよい。視聴環境設定部３０７は、選択した出力値パターンの各照明装置の出力値を、その照明装置に送信する。各照明装置は、受信した出力値で光を発する。その後、ステップＳ３０３に進む。
（ステップＳ３０３）視聴環境設定部３０７は、照度検出部３３が検出した照度情報を取得する。つまり、コンテンツ再生装置３は照度を測定する。視聴環境設定部３０７は、測定した照度を示す照度値を含むパターン別照度情報を、パターン別照度情報テーブルに記憶する。その後、ステップＳ３０４に進む。
（ステップＳ３０４）視聴環境設定部３０７は、ステップＳ３０１で生成した出力値パターンを全て選択したか否かを判定する。つまり、聴環境設定部３０７は、全ての出力値パターンについて、ステップＳ３０２〜Ｓ３０３の処理が終了したかを判定する。その後、ステップＳ３０５に進む。
【００５１】
（ステップＳ３０５）視聴環境設定部３０７は、パターン別照度情報テーブルを読み出し、照度値の最大値と最小値との差を算出する。例えば、図６の例では、視聴環境設定部３０７は、照度値の最大値「９０」と最小値「３０」との差を、「６０」と算出する。その後、ステップＳ３０６に進む。
（ステップＳ３０６）視聴環境設定部３０７は、ステップＳ３０５で算出した差が、予め定めた閾値以上であるか否かを判定する。閾値以上であると判定した場合（ＹＥＳ）、ステップＳ３０７に進む。一方、閾値より小さいと判定した場合（ＮＯ）、ステップＳ３１１に進む。
【００５２】
（ステップＳ３０７）視聴環境設定部３０７は、各照明装置の出力値と照度値との関係式（関係情報）を算出する。具体的には、視聴環境設定部３０７は、線形近似を用いて関係式を算出する。つまり、視聴環境設定部３０７は、Ｎ個の照明装置ｎ（ｎ＝１〜Ｎ）各々の出力値Ｘｎと照度値Ｙを用いて、Ｙ＝α１Ｘ１＋α２Ｘ２＋・・・＋αＮＸＮ＋β（この式を照度計算式という）満たす、照度係数α１、α２、・・・、αＮ及び定数βを算出する。ここで、照度係数αｎは、照明装置ｎでの出力値を変化させた場合に、コンテンツ再生装置３での照度値がどの程度変化するかという割合を示す。図６の一例の場合、Ｎ＝２、α１＝０．１、α２＝０．４、β＝３０となる。なお、Ｎ＝２の場合、未知数（α１、α２、β）は３（Ｎ＋１）となるので、ＩＤ毎の出力パターンを２とすることで、４個（≧３）の出力値パターンでの照度値を用いて未知数を決定することができる。その後、ステップＳ３０８に進む。
【００５３】
（ステップＳ３０８）視聴環境設定部３０７は、算出した照度係数αｎ及び定数βを用いて、照度値の最大値を算出する。具体的には、視聴環境設定部３０７は、各出力値Ｘｎに出力値Ｘｎの最大値を代入して、Ｙを照度値の最大値とする。視聴環境設定部３０７は、算出した照度値の最大値が予め定めた閾値以上であるか否かを判定する。照度値の最大値が予め定めた閾値以上であると判定した場合（ＹＥＳ）、ステップＳ３０９に進む。一方、照度値の最大値が予め定めた閾値より小さいと判定した場合（ＮＯ）、ステップＳ３１０に進む。
【００５４】
（ステップＳ３０９）視聴環境設定部３０７は、ステップＳ３０８で算出した照度値の最大値を閾値に変更する。例えば、ステップＳ３０８で照度値の最大値を「９０」と算出したとき（図６参照）に、閾値が「８０」である場合には、照度値の最大値を「８０」に変更する（図７参照）。後述するように、コンテンツ再生装置３は、変更後の照度値の最大値が、照明による照度値の最大値となるように、照明装置を制御する。これにより、コンテンツ再生装置３は、照明が閾値を超えて明るくなり、消費電力が増大することを防止することができる。その後、ステップＳ５１０に進む。
（ステップＳ３１０）視聴環境設定部３０７は、ステップＳ３０７で算出した照度係数αｎ、定数β、及び、ステップＳ３０８で算出した照度値の最大値、或いは、ステップＳ３０９で変更した場合には変更後の照度値の最大値、を視聴環境情報として、視聴環境情報テーブルに記憶する。
【００５５】
（ステップＳ３１１）視聴環境設定部３０７は、照明制御部３０９による制御を行わないと決定する。つまり、視聴環境設定部３０７は、照明装置の制御を中止する。なお、ステップＳ３０５で算出した差が閾値より小さくなる状況としては、日中で太陽の光が部屋の中に差し込んでいる場合や、同じ部屋の中に制御対象でない照明装置があり、その照明装置の影響が強い場合、などがある。コンテンツ再生装置３は、ステップＳ３０５で算出した差が閾値より小さく、つまり、照明装置での出力変化に応じた照度の変化が小さく、照明効果がほとんどない状況で処理を中止することができ、制御による電力消費を抑えることができる。
【００５６】
図１１は、本実施形態に係る照明制御情報抽出部３０２及び照明制御部３０９の動作の一例を示すフローチャートである。なお、この動作は、コンテンツ再生部３０３でのコンテンツの再生、つまり、ユーザによるコンテンツの視聴に併せて行われる。
【００５７】
（ステップＳ４０１）照明制御情報抽出部３０２は、コンテンツデータ中の照明制御情報を抽出する。その後、ステップＳ４０２に進む。
（ステップＳ４０２）照明制御部３０９は、ステップＳ４０１で抽出された照明制御情報の明るさ率情報を抽出する。照明制御部３０９は、視聴環境情報テーブルの視聴環境情報に基づいて、抽出した明るさ率情報が示す割合になる照度値を算出する。具体的には、照明制御部３０９は、明るさ率情報（Ｌ）、視聴環境情報の最大値（Ｓｍａｘ）、最小値（Ｓｍｉｎ）を用いて、所望の照度値（Ｙ１）を、Ｙ１＝Ｓｍｉｎ＋（Ｓｍａｘ−Ｓｍｉｎ）×Ｌと算出する。例えば、明るさ率情報が「４０」％で、視聴環境情報テーブルが図７である場合、照明制御部３０９は、Ｙ１＝３０＋（８０−３０）×４０÷１００＝５０と算出する。その後、ステップＳ４０３に進む。
【００５８】
（ステップＳ４０３）照明制御部３０９は、視聴環境情報テーブルから視聴環境情報を読み出して照度計算式を生成する。例えば、図７の視聴環境情報テーブルの場合には、照明制御部３０９は、Ｙ＝０．１Ｘ１＋０．４Ｘ２＋３０を生成する。その後、ステップＳ４０４に進む。
（ステップＳ４０４）照明制御部３０９は、照明装置情報テーブルから制御管理情報が「対象」である照明装置情報を読み出す。照明制御部３０９は、読み出した照明装置情報各々の電力係数（照明装置ｎの電力係数）に対して、それぞれ、出力値Ｘｎを乗算し、加算することで、消費電力（Ｚ）の計算式（消費電力計算式という）を生成する。例えば、図５の照明装置情報テーブルの場合には、照明制御部３０９は、消費電力計算式として、Ｚ＝０．０６Ｘ１＋０．５Ｘ２を生成する。その後、ステップＳ４０５に進む。
【００５９】
（ステップＳ４０５）照明制御部３０９は、照度計算式及び消費電力計算式に基づいて、照明装置ｎ各々の出力値Ｘｎを算出する。具体的には、照明制御部３０９は、ステップＳ４０２で算出した所望の照度値（Ｙ１）を、ステップＳ４０２で生成した照度計算式のＹに代入する。照明制御部３０９は、所望の照度値（Ｙ１）を代入した照度計算式が満たされ、かつ、消費電力計算式で消費電力（Ｚ）が最小となる出力値Ｘｎを算出する。この計算は一般的な線形計画法を用いて行うことができ、例えば、照明制御部３０９は、シンプレックス法を用いて繰り返し演算を行うことで出力値Ｘｎを算出する。
図５の照明装置情報テーブル、及び、図７の視聴環境情報テーブルの場合には、照明制御部３０９は、５０＝０．１Ｘ１＋０．４Ｘ２＋３０が満たされ、かつ、Ｚ＝０．０６Ｘ１＋０．５Ｘ２が最小となる出力値Ｘｎとして、Ｘ１＝「１００」、Ｘ２＝「２５」を算出することとなる。その後、ステップＳ４０６に進む。
【００６０】
（ステップＳ４０６）照明制御部３０９は、ステップＳ４０５で算出した出力値Ｘｎを含む制御情報を生成する。照明制御部３０９は、照明装置情報テーブルから照明装置ｎ各々のアドレスを読み出す。照明制御部３０９は、コンテンツ再生部３０３から入力された再生時刻情報が示す再生時刻が、ステップＳ４０１で抽出された照明制御情報の開始時刻から終了時刻までの間、読み出したアドレスに、生成した制御情報を送信する。制御情報を受信した照明装置ｎは、制御情報から自装置の出力値Ｘｎを抽出し、その出力値を設定する。照明装置ｎは、設定した出力値Ｘｎの出力で発光する。その後、コンテンツが終了するまで、ステップＳ４０１からＳ４０６の処理を繰り返す。
例えば、図５の照明装置情報テーブル、及び、図７の視聴環境情報テーブルの場合には、ＩＤが「ｌｉｇｈｔ＿ｘｘｘ」の照明装置は出力値「１００」、ＩＤが「ｌｉｇｈｔ＿ｙｙｙ」の照明装置は出力値「２０」の出力で発光する。この例では、電力係数が低い照明装置の出力が高く、電力係数が高い照明装置の出力が低くなる。具体的には、照明装置全体での消費電力は、０．０６×１００＋０．５×２．５＝１８．５（Ｗ）となる。仮に、明るさ率情報「４０」のときに、照明装置各々の出力値を一律に「４０」とすると、０．０６×４０＋０．５×４０＝２２．４（Ｗ）となる。なお、どちらの場合でも、コンテンツ再生装置３での照度値は「５０」となる。つまり、コンテンツ再生装置３は、所望の照度を得つつ、照明装置全体での消費電力を最小限にできる。
【００６１】
このように、本実施形態によれば、コンテンツ再生装置３は、照度検出部３３が検出した照度値と、照明制御情報に含まれる明るさ率情報と、に基づいて、各照明装置５１、５２、５３の出力値を決定し、決定した出力値で光を出力するように照明装置５１、５２、５３を制御する。これにより、本実施形態では、コンテンツ再生装置３は、検出した実際の照度値をフィードバックしながら、複数の照明装置５１、５２、５３を制御することができ、所望の照明効果を得ることができる。
【００６２】
また、本実施形態によれば、照明装置情報取得部３０５は、照明装置５１、５２、５３各々での消費電力を示す消費電力情報を取得する。また、照明制御部３０９は、照度検出部３３が検出した照度値、照明制御情報に含まれる明るさ率情報、及び消費電力情報に基づいて、各照明装置５１、５２、５３の出力値を決定し、決定した出力値で光を出力するように前記照明装置を制御する。具体的には、視聴環境設定部３０７は、複数の照明装置５１、５２、５３の出力値と照度検出部３３が検出する照度値との関係式を生成し、照明制御部３０９は、関係式に基づいて、消費電力情報が示す消費電力の合算値が最小になるように、照明装置５１、５２、５３を選択する。これにより、本実施形態では、コンテンツ再生装置３は、明るさ率情報が示す照度を得つつ、照明装置全体での消費電力を最小限にできる。また、消費電力が制限されている場合であっても、最小限の消費電力の電力を得ることができれば、所望の照明効果を得ることができる。
【００６３】
（第２の実施形態）
以下、図面を参照しながら本発明の第２の実施形態について詳しく説明する。
本実施形態では、コンテンツ再生装置が、照度と消費電力の割合を示す電力効率に基づいて、コンテンツ再生時に制御する照明装置を選択する場合について説明をする。
制御システムについては、図１と同じである。以下、本実施形態に係るコンテンツ再生装置を、コンテンツ再生装置６という。また、本実施形態に係るコンテンツ提供装置は、第１の実施形態にかかるコンテンツ提供装置１と同じであるので、説明は省略する。
【００６４】
図１２は、本発明の第２の実施形態に係るコンテンツ再生装置６の構成を示す概略ブロック図である。  本実施形態に係るコンテンツ再生装置６（図１２）と第１の実施形態に係るコンテンツ再生装置３（図４）とを比較すると、視聴環境設定部６０７が異なる。しかし、他の構成要素（コンテンツ取得部３０１、照明制御情報抽出部３０２、コンテンツ再生部３０３、映像出力部３１、音声出力部３２、通信部３０４、照明装置情報取得部３０５、照明装置情報記憶部３０６、照度検出部３３、及び、視聴環境情報記憶部３０８）が持つ機能は第１の実施形態と同じである。第１の実施形態と同じ機能の説明は省略する。
【００６５】
視聴環境設定部６０７は、視聴環境設定部３０７が持つ機能に加えて、電力効率に基づいて、コンテンツ再生時に制御する照明装置を選択する（第２の装置選択処理という）。
【００６６】
図１３は、本実施形態に係る視聴環境設定部６０７における第２の装置選択処理での動作の一例を示すフローチャートである。なお、この動作は、図１０の動作に続いて行われる。
（ステップＳ５０１）視聴環境設定部６０７は、動作モードに応じて、照度値の最大値と最小値との差（照度差）の閾値を決定する。ここで、動作モードには、節電を優先する「エコモード」及び迫力ある照明効果を優先する「ダイナミックモード」があり、ユーザ操作等によって、予め設定される。また、閾値は、照明装置によって提供を期待される照度値の範囲を示す値である。
具体的に、視聴環境設定部６０７は、「エコモード」の場合には、「ダイナミックモード」と比較して低い閾値を決定する。例えば、視聴環境設定部６０７は、「エコモード」の場合には「０」、「ダイナミックモード」の場合には「１００」を閾値として決定する。その後、ステップＳ５０２に進む。
【００６７】
（ステップＳ５０２）視聴環境設定部６０７は、視聴環境情報テーブルの視聴環境情報、及び、照明装置情報テーブルの照明装置情報に基づいて、制御対象の照明装置各々の電力効率を算出する。具体的には、制御対象の照明装置各々について、視聴環境情報の照度係数を照明装置情報の電力係数を除算することで、電力効率を算出する。つまり、電力効率＝照度係数÷電力係数である。
照度係数は照明装置の出力値に応じた照度の変化の割合、電力係数は照明装置の出力値に応じた消費電力の変化の割合、を示しているため、電力効率の値は消費電力に応じた照度の変化の割合、を示す。電力効率が高い照明装置は、電力効率が低い照明装置と比較して、少ない消費電力で高い照度を得ることができることとなる。ここで、照度は明るさセンサの位置での照度であり、明るさセンサの位置から遠い位置の照明装置は、近い位置の照明装置と比較して、電力効率が低くなる。
視聴環境設定部６０７は、算出した電力効率を含む電力効率情報を、視聴環境情報記憶部３０８の電力効率情報テーブルに記憶（図１４）する。また、視聴環境設定部６０７は、視聴環境情報テーブルの視聴環境情報を削除する。その後、ステップＳ５０３に進む。
【００６８】
図１４は、本実施形態に係る電力効率情報テーブルの一例を示す概略図である。この図は、視聴環境設定部６０７が、図７の視聴環境情報テーブル及び図５の照明装置情報テーブルに基づいて、照明装置各々の電力効率を算出した場合の図である。図示するように、電力効率情報テーブルは、ＩＤ、照度係数、電力係数、及び電力効率の各項目の列を有している。電力効率情報テーブルは、ＩＤ毎に電力効率情報が格納される行と列からなる２次元の表形式のデータである。
図１４では、例えば、ＩＤ「ｌｉｇｈｔ＿ｘｘｘ」の照明装置は、電力効率が「１．６７」（０．１÷０．０６）であることを示す。
以下、図１３に戻って、動作の説明をする。
【００６９】
（ステップＳ５０３）視聴環境設定部６０７は、電力効率情報テーブルを読み出し、電力効率情報を選択する。ここで、視聴環境設定部６０７は、初回のステップＳ５０３では、電力効率が一番高い電力効率情報を選択する。視聴環境設定部６０７は、２回目以降のステップＳ５０３では、前回のステップＳ５０３で選択した電力効率情報の電力効率の次に、電力効率が高い電力効率情報を選択する。例えば、図１４の一例では、１回目のステップＳ５０３でＩＤが「ｌｉｇｈｔ＿ｘｘｘ」の電力効率情報が選択されることとなる。また、２回目のステップＳ５０３の処理がある場合には、２回目のステップＳ５０３でＩＤが「ｌｉｇｈｔ＿ｙｙｙ」の電力効率情報が選択されることとなる。
視聴環境設定部６０７は、選択した電力効率情報のＩＤ、及び照度係数を視聴環境情報テーブルに追加する。つまり、コンテンツ再生装置６は、電力効率が高い順に照明装置を、制御対象として追加する。その後、ステップＳ５０４に進む。
【００７０】
（ステップＳ５０４）視聴環境設定部６０７は、電力効率情報テーブルの全てのＩＤについて、ステップＳ５０３の処理を行ったか否かを判定することにより、全ての照明装置を制御対象として追加したか否かを判定する。全てのＩＤについてステップＳ５０３の処理を行ったと判定した場合（全ての照明装置を制御対象として追加したと判定した場合；ＹＥＳ）、動作を終了する。少なくとも１つのＩＤについてステップＳ５０３の処理を行っていないと判定した場合（少なくとも１つの照明装置を制御対象として追加していないと判定した場合；ＮＯ）、ステップＳ５０５に進む。
【００７１】
（ステップＳ５０５）視聴環境設定部６０７は、パターン別照度情報から照度の最小値を選択して電力効率情報テーブルの電力効率情報に追加する。視聴環境設定部６０７は、第１の実施形態でのステップＳ３０７〜Ｓ３０９の処理を行うことにより、照度値の最大値を算出する。視聴環境設定部６０７は、算出した照度値の最大値を電力効率情報テーブルの電力効率情報に追加する（図１５参照）。その後、ステップＳ５０６に進む。
（ステップＳ５０６）視聴環境設定部６０７は、電力効率情報テーブルの電力効率情報を読み出し、照度値の最大値と最小値との差（照度差）を算出する。視聴環境設定部６０７は、算出した照度差が、ステップＳ５０１で決定した閾値を超えたか否かを判定する。閾値を超えたと判定した場合（ＹＥＳ）、動作を終了する。一方、閾値を超えていないと判定した場合（ＮＯ）、ステップＳ５０３に進む。
【００７２】
図１５は、本実施形態に係る視聴環境情報テーブルの一例を示す概略図である。この図は、視聴環境設定部６０７が、エコモードのときに、図６のパターン別照度情報テーブルに基づいて視聴環境情報を生成したときに「エコモード」場合の図である。図示するように、視聴環境情報テーブルは、第１、２の装置選択処理で選択された照明装置の出力値に係る照度係数（出力値１に対する照度係数）、コンテンツ再生装置６における照度の最小値、最大値の各項目の列を有している。
図１５は、コンテンツ再生装置６がＩＤ「ｌｉｇｈｔ＿ｘｘｘ」の照明装置を制御することを示す。また、この場合に、コンテンツ再生装置６における照度（Ｙ）が、出力値１（Ｘ１）を用いて、Ｙ＝０．１Ｘ１＋３０で線形近似できることを示す。
【００７３】
このように、本実施形態によれば、視聴環境設定部６０７は、照度検出部３３が検出した照度値と消費電力情報とに基づいて照明装置５１、５２各々の電力効率を算出して、算出した電力効率が高い順に照明装置を選択する。照明制御部３０９は、視聴環境設定部６０７が選択した照明装置を制御する。これにより、本実施形態では、コンテンツ再生装置６は、電力効率が高い照明装置を優先して制御することができ、消費電力を低減することができる。
【００７４】
なお、上記第２の実施形態において、視聴環境設定部６０７は、照度差を算出する代わりに、照度係数に予め定めた値（例えば「１００」）を乗算した値を用いてもよい。
【００７５】
例えば、「エコモード」の場合には、図１３は以下の動作となる。
視聴環境設定部６０７は、ステップＳ５０１で、閾値を「０」に決定する。視聴環境設定部６０７は、ステップＳ５０３で、ＩＤが「ｌｉｇｈｔ＿ｘｘｘ」の電力効率情報を選択する。視聴環境設定部６０７は、ステップＳ５０５で、照度差を「１０」（図１４の照度係数「０．１」×１００）と算出する。視聴環境設定部６０７は、照度差「１０」が閾値「０」を超えたと判定して、動作を終了する。つまり、コンテンツ再生装置６は、ＩＤが「ｌｉｇｈｔ＿ｙｙｙ」の電力効率が低い照明を制御しない。
【００７６】
一方、例えば、「ダイナミックモード」の場合には、図１３は以下の動作となる。視聴環境設定部６０７は、ステップＳ５０１で、閾値を「１００」に決定する。視聴環境設定部６０７は、ステップＳ５０３で、ＩＤが「ｌｉｇｈｔ＿ｘｘｘ」の電力効率情報を選択する。視聴環境設定部６０７は、ステップＳ５０５で、照度差を「１０」（図１４の照度係数「０．１」×１００）と算出する。視聴環境設定部６０７は、照度差「１０」が閾値「１００」を超えないと判定する。その後、視聴環境設定部６０７は、２回目のステップＳ５０３で、ＩＤが「ｌｉｇｈｔ＿ｙｙｙ」の電力効率情報を選択する。視聴環境設定部６０７は、ステップＳ５０５で、照度差を「５０」（「１０」＋「０．４」×１００）と算出する。視聴環境設定部６０７は、照度差「５０」が閾値「１００」を超えないと判定する。その後、視聴環境設定部６０７は、ステップＳ５０４で全ての照明装置を追加したと判定して動作を終了する。
【００７７】
また、上記各実施形態において、時刻毎や曜日毎に検出した照度を定期的に記憶し、ある時刻や曜日において、その過去の平均値と最新の照度との差が、予め定めた閾値を超えた場合に、つまり、照明の追加や配置変更を検出して、この動作を行ってもよい。
また、上記各実施形態において、視聴環境設定部３０７は、照明装置５１、５２、５３に加えて、コンテンツ再生部３０３の照度（例えば、バックライトの照度）を制御してもよい。この場合、視聴環境設定部３０７は、制御の結果、照度検出部３３が検出した照度情報を視聴環境情報記憶部３０８に出力する。
【００７８】
また、上記各実施形態において、照度に代えて、輝度を用いても良い。
また、上記各実施形態において、視聴環境設定部３０７は、ＮのＭ乗がＮ＋１以上を満たす最小のＭを算出し、Ｍ個のＩＤ毎の出力値のパターンを用いて、出力値パターンを生成してもよい。
また、上記各実施形態において、コンテンツデータは、照明制御情報を文字データに付加してものであってもよい。
また、上記各実施形態において、コンテンツ再生装置３、６は、照明制御情報と、映像データ及び音声データと、を別々に取得してもよい。また、照明制御情報は、数値に限らず、文字列であってもよい。
【００７９】
なお、上述した実施形態におけるコンテンツ提供装置１、又はコンテンツ再生装置３、６の一部、例えば、入力部１０１、映像生成部１０２、映像入力部１０３、明るさ情報付加部１０４、コンテンツ提供部１０６、通信部１０７、コンテンツ取得部３０１、照明制御情報抽出部３０２、コンテンツ再生部３０３、通信部３０４、照明装置情報取得部３０５、映像出力部３１、音声出力部３２、照度検出部３３、視聴環境設定部３０７、６０７、及び、照明制御部３０９をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、コンテンツ提供装置１、又はコンテンツ再生装置３、６に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態におけるコンテンツ提供装置１、及びコンテンツ再生装置３、６の一部、または全部を、ＬＳＩ（Ｌａｒｇｅ  Ｓｃａｌｅ  Ｉｎｔｅｇｒａｔｉｏｎ）等の集積回路として実現しても良い。コンテンツ提供装置１、及びコンテンツ再生装置３、６の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００８０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８１】
１、１１、１２・・・コンテンツ提供装置、３、６・・・コンテンツ再生装置、５１、５２、５３・・・照明装置、１０１・・・入力部、１０２・・・映像生成部、１０３・・・映像入力部、１０４・・・明るさ情報付加部、１０５・・・コンテンツ記憶部、１０６・・・コンテンツ提供部、１０７・・・通信部、３０１・・・コンテンツ取得部、３０２・・・照明制御情報抽出部、３０３・・・コンテンツ再生部、３１・・・映像出力部、３２・・・音声出力部、３０４・・・通信部、３０５・・・照明装置情報取得部、３０６・・・照明装置情報記憶部、３３・・・照度検出部（明るさ検出部）、３０７、６０７・・・視聴環境設定部、３０８・・・視聴環境情報記憶部、３０９・・・照明制御部
【図１】
2012003895.tif 000003
【図２】
2012003895.tif 000004
【図３】
2012003895.tif 000005
【図４】
2012003895.tif 000006
【図５】
2012003895.tif 000007
【図６】
2012003895.tif 000008
【図７】
2012003895.tif 000009
【図８】
2012003895.tif 000010
【図９】
2012003895.tif 000011
【図１０】
2012003895.tif 000012
【図１１】
2012003895.tif 000013
【図１２】
2012003895.tif 000014
【図１３】
2012003895.tif 000015
【図１４】
2012003895.tif 000016
【図１５】
2012003895.tif 000017